(57)【要約】扉側柱或いは窓サッシに挿入されるパイル付き隙間遮蔽材（６）からなるブロックシール或いは別名チリ侵入防止栓(１５)と呼ばれるものが、長尺状のパイル付き隙間遮蔽材からなるヒンジ化された単位要素が相互に折り畳まれることにより提供される。  当該パイルは、フィン部４を形成する侵入バリアを有しており、当該フィン部は、連続する曲がりくねった通路に沿って延展され、ヒンジ部３をブリッジ(架橋)するループ８を有している。当該ヒンジ化された部分は、接着性を有するバッキングシート(５)によって接合されている。当該ブロックシートは、連続的な工程で製造される様に適合されており、当該工程では、長尺状の当該パイル付き隙間遮蔽材（１）のバッキング用或いはベース用細幅帯状体（７）が対向して間隔を空けた端部からスリットされるか刻み目が設けられ、当該ヒンジ部を形成するために充分な材料を当該バッキングに残す。  連続的で曲がりくねったバリアフィン部(４)は、当該フィン部の侵入防止バリアを維持したままで、当該チリ侵入防止栓（１５）を、当該パイルからなる端部或いは側面部の何れかを、シールされるべき扉或いは窓からなる移動部材の方向に向けて取り付ける事を可能にする。
2006524764.tif 000002
【特許請求の範囲】
【請求項１】
パイル付き隙間遮蔽材装置（ｐｉｌｅ  ｗｅａｔｈｅｒｓｔｒｉｐ  ｄｅｖｉｃｅ）であって、且つ当該パイル付き隙間遮蔽材装置は、バッキング用細幅帯状体（ｂａｃｋｉｎｇ  ｓｔｒｉｐ）から延展せしめられているパイルを有する、連続した長さを持つパイル付き隙間遮蔽部（ａ  ｃｏｎｔｉｎｕｏｕｓ  ｌｅｎｇｔｈ  ｏｆ  ｐｉｌｅ  ｗｅａｔｈｅｒｓｔｒｉｐｐｉｎｇ）を含んでおり、当該バッキング用細幅帯状体は、当該バッキング用細幅帯状体の両側の縁部に沿って千鳥状の関係にヒンジ部が形成される様に切れ目が入れられて、それによってパイル付き隙間遮蔽部からなるヒンジ結合された複数個の単位要素（ｓｅｇｍｅｎｔ）を形成し、且つ当該複数個の単位要素は、当該ヒンジ部に於いて折り畳まれて縁部同士が隣接する関係を構成し、少なくとも一つのシール面を提供するパイル状ブロックを形成する事を特徴とするパイル付き隙間遮蔽材装置。
【請求項２】
当該パイル付き隙間遮蔽材装置は、更に当該隣接したヒンジ化された部分からなるバッキング用細幅帯状体であって、且つ相互に接合されているバッキング用細幅帯状体を含んでいる事を特徴とする請求項１に記載のパイル付き隙間遮蔽材装置。
【請求項３】
当該装置は、当該バッキング用細幅帯状体の当該パイルが形成されている面側とは反対側の面側で、当該バッキング用細幅帯状体に亘って延展されている接着剤材料からなるシートであって、且つ当該シートは、当該ヒンジ化された部分（ｈｉｎｇｅｄ  ｓｅｃｔｉｏｎ）間で当該接合部を提供するシートを、更に含んでいる事を特徴とする請求項２に記載の装置。
【請求項４】
請求項１に記載のパイル付き隙間塞ぎ部材であって、当該パイル付き隙間遮蔽材装置は、当該パイルの長手方向に沿って延展している侵入物規制材料からなるフィン部を有しており、且つ当該材料のループ部は、当該ヒンジ化された部分間のヒンジ部を橋架け（ｂｒｉｄｇｉｎｇ）しており、それによって、当該装置が当該装置によりシールされる部材の移動方向に対して縁部方向の関係に配列されるか、端部方向の関係に配列されるかに係わらず、当該装置を通じて連続したバリヤが提供される事を特徴とする請求項１に記載の装置。
【請求項５】
当該パイル付き隙間塞ぎ部材装置は、更に、当該単位要素のそれぞれの縁部同士が互いに隣接して配置されている当該ヒンジ化された複数の単位要素群に於け端部に沿って配置されたパイル付き隙間遮蔽材部品を含んでいる事を特徴とする請求項１に記載のパイル付き隙間塞ぎ部材。
【請求項６】
当該パイル付き隙間遮蔽材装置は、直線状（ｌｉｎｅａｌ）のパイル付き隙間遮蔽材から構成され、且つ対向する端部と外側の端部とを形成している一対のヒンジ化された部分と、当該対向する端部の間に、又当該外側の端部に沿ってそれぞれ配置されている直線状のパイル付き隙間遮蔽材とを含んでいる事を特徴とする請求項５に記載の装置。
【請求項７】
ブロック状の形状を有するパイル付き隙間遮蔽材を製造する方法であって、当該方法は、連続した長さを有するパイル付き隙間遮蔽材を、その両側縁から当該パイル付き隙間遮蔽材の長手方向に沿って、互い違いで且つ所定の間隔を設けた関係で切れ目を入れ、ヒンジ部を形成する工程と、
当該単位要素を、当該ヒンジ部の周りで各単位要素の縁部同士が接合する関係に折り畳み、当該ブロックを形成する工程、
とから構成されていることを特徴とするパイル付き隙間遮蔽材を製造する方法。
【請求項８】
当該方法は、更に、当該単位要素が永久的な接合関係に集合させる工程を含んでいる事を特徴とする請求項７に記載のパイル付き隙間遮蔽材を製造する方法。
【請求項９】
当該集合工程は、接着材料からなるシートを補助に実行され、当該シートを適用して当該単位要素を、当該ブロック状の形状に於ける隣接する関係になるように接着剤的に接合する事を特徴とする請求項８に記載のパイル付き隙間遮蔽材を製造する方法。
【請求項１０】
当該パイル付き隙間遮蔽材は、パイルがそこから延展しているバッキング用細幅帯状体を有しており、当該細幅帯状体に切り目を入れる工程は、ブレードを当該パイルと当該バッキング用細幅帯状体を通過する弓形状の切断通路に沿って移動させ、当該バッキング用細幅帯状体の一部を残し、当該ヒンジ部を形成することによって実行される事を特徴とする請求項７に記載のパイル付き隙間遮蔽材を製造する方法。
【請求項１１】
当該パイル付き隙間遮蔽材は、当該パイルに沿って直線状に延展しているフィン部を有しており、当該切断通路は、当該バッキング用細幅帯状体に隣接する当該フィン部の領域であって、且つ当該フィン部よりもより短い長さの領域を通過する事を特徴とする請求項１０に記載のパイル付き隙間遮蔽材を製造する方法。
【発明の詳細な説明】
【技術分野】
【０００１】
本発明は、パイル付き隙間遮蔽材からなるチリ侵入防止栓（ｐｉｌｅ  ｗｅａｔｈｅｒｓｔｒｉｐｐｉｎｇ  ｄｕｓｔ  ｐｌｕｇｓ）に関するものであり、特に詳しくは、所定の長さを持つ複数のパイル付き隙間遮蔽材が相互に隣接して配置され、ブロック状のシール部を形成しそれによってチリ侵入防止栓（ｄｕｓｔ  ｐｌｕｇ）を提供する事に関するものであり、更には、当該チリ侵入防止栓を効率的に、迅速に且つ低コストで製造する為の方法に関するものである。
【背景技術】
【０００２】
当該チリ侵入防止栓は、扉の側柱（ｄｏｏｒｊａｍｂ）の底部に沿って配置されるか或いは窓のフレームに於ける窓サッシの側部に配置されており、他の隙間遮蔽材により隙間が残される可能性のある領域に於ける空気或いは水等の侵入に対してシールするものである。
【０００３】
これまでは、パイル付き隙間遮蔽材からなる防止栓は個別の単位要素（ｓｅｇｍｅｎｔ）から製造されており、当該それぞれの単位要素は、当該単位要素のバッキング用細幅帯状体に於け裏面に接合される基布に組み立てられていた。
【０００４】
当該パイル付き隙間遮蔽材からなるチリ侵入防止栓の構造的な一体化は当該基布に対する接着剤接合に完全に依拠したものであり、それは期待するほどの信頼性に欠けると共に長期間の使用が出来なかった。
【０００５】
従って、当該パイル付き隙間遮蔽材からなるチリ侵入防止栓は、信頼性を向上させると同時に当該チリ侵入防止栓を長尺状のパイル付き隙間遮蔽材から自動的に製造する事を容易にする構造的一体性を持っている事が望ましい。
【特許文献１】米国特許第４１４８９５３号公報
【特許文献２】米国特許第４３０２４９５号公報
【特許文献３】米国特許第５３３８３８２号公報
【発明の開示】
【発明が解決しようとする課題】
【０００６】
簡単に説明するならば、本発明は、当該パイルが形成されているバッキング用細幅帯状体を有するパイル付き隙間遮蔽材から製造されたチリ侵入防止栓を提供するものである。
【０００７】
本発明に於ける当該パイル付き隙間遮蔽材は部分的に切れ目が形成されるものであり、それによって、ヒンジ部分を形成する部分を当該バッキング用細幅帯状体の両側の縁部に沿って千鳥状の関係となる様に残す事により当該ヒンジ部分が形成される。
【０００８】
当該単位要素は、相互にアコーディオンの様に折り畳まれ、そして当該各単位要素は、当該単位要素に於ける当該パイルが形成されている面側とは反対側の面側に接着剤的に接合されるバッキングシートと共に組み立てられる。
【０００９】
当該パイル付き隙間遮蔽材は、千鳥状の関係にあるヒンジ部で接続されている複数の単位要素に変換されるものであり、その幾つかは、アコーディオン状に折り畳まれ、チリ侵入防止栓を提供出来る様に、その縁部同士が相互に接合するように配列されており、係るパイル付き隙間遮蔽材は、ロバート  シー  ホルトンに１９７９年４月１０日に与えられた米国特許第４１４８９５３号（特許文献１）、ロバート  シー  ホルトンに１９８１年１１月２４日に与えられた米国特許第４３０２４９５号（特許文献２）及びラリー  イー  ジョンソン等に１９９４年８月１６日に与えられた米国特許第５３３８３８２号（特許文献３）等に開示されているタイプと同じである。
【００１０】
本発明に於ける一つの特徴は、ジグザグ状に相互接続されている一体的なヒンジ化された単位要素の構成によって、当該チリ侵入防止栓は、高度の一体的構造を有しており、且つ低コストにより製造し得る状態にある。
【００１１】
本発明に於ける他の特徴は、場合によってフィン部と称される空気及び水の浸入防止バリア部をパイルの内部に有しているパイル付き隙間遮蔽材を使用することである。
【００１２】
当該フィン部は、当該単位要素が折り畳まれ、端部同士が相互に接合する関係に配列された場合に、当該ヒンジ部分を橋架け（ｂｒｉｄｇｉｎｇ）する。
【００１３】
当該フィン部は、当該防止栓（ｐｌｕｇ）全体に亘って、曲がりくねった通路に沿って織り込まれるものであり、当該防止栓のあらゆる側面から侵入する空気及び水に対するバリアを提供する。
【００１４】
従って、当該チリ侵入防止栓の取り付けは、配列方向に対する感応性は無く、当該フィン部で形成されたバリアは、扉の側柱や窓サッシ或いはその他の部位に取り付けるに際して、当該防止栓の配列方向を考慮しなくても良い状況を維持する事が出来る。
【発明を実施するための最良の形態】
【００１５】
上記した説明及び本発明のその他の目的、特徴及び利点は、添付した図面と関連して以下の説明を読むことによりより一層明らかになるであろう。
【００１６】
此処で、図１乃至図４を特別に参照すると、バリヤフィン部４を有するパイル付き隙間遮蔽材６からなる６個の単位要素１６、１７、１８、１９、２０及び２１を使用したパイル付き隙間遮蔽材からなるチリ侵入防止栓１５が示されている。
【００１７】
当該フィン部４は、当該単位要素１６乃至２１を通して或いは当該単位要素の端部の回りに曲がりくねった通路に沿って織り込まれる。
【００１８】
当該フィン部４は、当該チリ侵入防止栓１５の対向する端部２２と２３に於ける回転部に５個のループを形成している。
【００１９】
パイル６は、適切なポリプロピレン材料からなる糸で構成されたブラシで代表されても良く、或いは他の材料が当該ブラシを提供するものであっても良い。
【００２０】
当該パイル６は基材或いはバッキング用細幅帯状体７の一方の面から延展している。
【００２１】
当該バッキング用細幅帯状体７と当該フィン部４は同様にポリプロピレン材料で構成されていても良い。
【００２２】
当該パイル６は、当該パイル６が延展している当該バッキング用細幅帯状体７からなるそれぞれの単位要素１６乃至２１の両側にあるパイル案内部或いはフランジ部２４の間の当該バッキング用細幅帯状体７に超音波により溶接されていても良い。
【００２３】
当該バッキング用細幅帯状体７の幅は好ましくは細く、且つ一般的には当該防止栓１５端部２２及び２３から見た場合に一般的には矩形である。
【００２４】
当該バッキング用細幅帯状体７の垂直方向の高さは、隣接する各単位要素の当該細幅帯状体の端部が相互に接合する当該端部に対して広い表面を提供するに充分な高さである事が好ましい。
【００２５】
当該パイル６からなる単位要素を形成するのに使用される長尺状のパイル付き隙間遮蔽材１は、アメリカ合衆国、ニューヨーク州、ファーミントンにあるウルトラファブ株式会社から市販されている商業的に利用できるタイプのものであり、且つ上記で引用したホルトンやジョンソン等の特許に開示されたパイル付き隙間遮蔽材と同一のものである。
【００２６】
中央部にバリアフィン部を有するパイル付き隙間遮蔽材の使用は、多くの用途で好ましいものであるが、本発明に係るチリ侵入防止栓は当該フィン部を持たないパイル付き隙間遮蔽材から形成される。
【００２７】
図１９乃至図２２は、当該フィン部を持たないパイル付き隙間遮蔽材からなるヒンジ化された単位要素を有する、本発明を具体化している、チリ侵入防止栓を示している。
【００２８】
若し、付加的な空気侵入防止制御が望まれる場合、本発明によるチリ侵入防止栓は、パイル部の外側或いはパイル部の内部にフィン部を有する直線状のパイルからなる薄い部材から形成されても良い。
【００２９】
係るパイル付き隙間遮蔽材は例えば上記に参照したジョンソン等の特許に開示されている。
【００３０】
当該パイル６からなる単位要素１６乃至２１は、ヒンジ部分３で相互に接続される形で互いに一体的に形成されており、隣接して接続されている一対の単位要素は、隣接する当該単位要素間で対向する端部に設けられているヒンジ３を有している。
【００３１】
当該単位要素１６乃至２１は互いに等しい長さを有し、当該ヒンジ部分３は当該防止栓１５に於ける対向する端部に沿って、互いに間隔を開けて設けられている。
【００３２】
当該フィン部材料４からなる当該ループ８は、当該ヒンジ部分を橋架けし、そして又当該チリ侵入防止栓１５に於ける一体的構成を向上させる。
【００３３】
当該フィン部材料４は、図４に示す様に、当該パイルの上端部と共通の境界を形成するか、或いは当該パイルの上端部を越えて延展しても良い。
【００３４】
当該バッキング用細幅帯状体７はスロット部により千鳥状の関係に配置されているスリット或いは刻み目（ｎｏｔｃｈ）を有しており、当該スリット或いは刻み目は、長尺状或いは直線状の長さを持つ当該隙間遮蔽材１に沿って相互に近接して設けられており、且つ当該バッキング用細幅帯状体７の対向する端部から当該バッキング用細幅帯状体内に伸びていて、交互に配置されている一対の単位要素間に当該ヒンジ部を形成するのに十分なだけの材料を残存させている。
【００３５】
当該ヒンジ部３に於ける当該材料の深さは、ポリプロピレンで好ましくは３０ミリメートル（ｍｉｌｓ）（或いは０．０３０インチ）である。
【００３６】
これらのヒンジ部は当該直線状の隙間遮蔽材１に於ける対向する端部に沿って千鳥状の関係に配列された折り目として考えられる。
【００３７】
この事は、当該単位要素をアコーディオン状或いはジグザグ状の様な形式に屈曲するか折りたたむことによりブロック形状にすることを容易にしている。
【００３８】
当該ブロック形状は矩形である様に示されているが、意図している用途に応じて正四角形でも良く、それらは当該チリ侵入防止栓１５が取り付けられるべき扉と扉の側柱との間或いは窓における摺動サッシ部材でのエアギャップの形状である。
【００３９】
当該バッキング用細幅帯状体７の狭い幅のせいで、隣接している当該単位要素におけるパイル６は図１乃至図４に示す様に圧縮せしめられる。
【００４０】
もし、空気の侵入防止制御を弱めることが望まれる場合には、当該バッキング用細幅帯状体をより幅広く構成し、当該パイルを圧縮されにくくし、当該チリ侵入防止栓１５を介してより大きな空気の侵入を許容する事が出来る。
【００４１】
当該フィン部４の曲がりくねった通路に起因して、当該フィン部４は、当該チリ侵入防止栓１５の配列方向に無関係で空気侵入防止バリアを提供する。
【００４２】
いくつかの応用例では、当該チリ侵入防止栓１５は、一定の長さのパイルがシールされるべき面（図４に示されている面）に対して提供される正面側或いは背面側の表面が閉鎖部材（例えば、扉或いは窓）に向けて配置される。
【００４３】
又、他の用途に於いては、特に、閉鎖に対して当該チリ侵入防止栓１５から大きな抵抗が望まれる場合には、当該ループ８が表れている端部表面が閉鎖部材に対して向けられるものであっても良い。
【００４４】
その結果、当該チリ侵入防止栓は、当該チリ侵入防止栓の側部表面が当該閉鎖部材に対して提供される場合よりも、当該閉鎖部材に対してより大きな抵抗力を与えることが出来る。
【００４５】
この様な、当該チリ侵入防止栓１５が当該扉と扉の側柱との間の間隙内にチリ防止ブロックシール１２として取りつけられる様な方法は、図１０乃至１８に示されている。
【００４６】
少なくとも一方の面に接着剤が塗布されているシート５は、図１に示される様に、当該単位要素を端部同士が接合する関係で相互に永久的に組み立てる為に、圧縮され、折り畳まれたヒンジ化された単位要素１６乃至２１の裏面側に供給される。
【００４７】
当該シート５の外側は、離型紙によって被覆されている接着剤材料層を有している。
【００４８】
当該離型紙は、図示されてはいないが、それを剥離することによって、当該チリ侵入防止栓１５を当該扉の側柱或いは窓のサッシ等に固定させることが出来る。
【００４９】
当該隣接している単位要素は、当該隣接している単位要素の接合端部に沿った継ぎ目に於いて超音波溶接等の溶接方式によって一つのチリ侵入防止栓１５に組み立てられる。
【００５０】
当該超音波溶接は当該隣接するパイル状の単位要素におけるバッキング用細幅帯状体７の隣接した端部間を突き合わせ溶接するものであっても良く、或いは当該それぞれの端部において或いは当該端部に亘って架橋された当該細幅帯状体が溶接されても良い。
【００５１】
図５乃至図７に示す様に、折り畳まれた当該単位要素に連続的に供給される当該接着剤シート５の使用は、好ましいものである。
【００５２】
そして、当該シート５に接合された折り畳まれた単位要素からなる連続した配列体が製造されるのである。
【００５３】
好ましい長さを持ったチリ侵入防止栓は、当該単位要素の隣接する端部間に於ける特定の継ぎ目で当該シート５を切断する事によって得られる。
【００５４】
説明の為の目的として、図１乃至４に示される当該チリ侵入防止栓１５は６個の単位要素１６乃至２１を有しており、２個或いはそれ以上の如何なる個数の単位要素が当該チリ侵入防止栓１５を提供する為に使用される。
【００５５】
連続した長さからなる直線状のパイル付き隙間遮蔽材１と当該ヒンジ化された単位要素の長さに等しい幅を有する接着剤材料からなるシート５とから当該チリ侵入防止栓１５が製造される工程は、図５乃至図９からより明確になる。
【００５６】
当該隙間遮蔽材１が矢印１４により示された方向に進行するにつれて、レザー刃を有する千鳥状に配置されたブレード２が中心軸の周りに沿って回転せしめられ、当該バッキング用細幅帯状体７を通過する円形状で弓形の切断軌跡２７を提供する。
【００５７】
当該それぞれのブレード２に於ける中心穴部２６は、それぞれの回転軸のためのものであり、当該それぞれのブレードによって形成される当該切断軌跡２７は、図８Ａ及び図８Ｂに良く示されている。
【００５８】
当該切断軌跡２７は、内部端部に於いてスリット或いはＶ字型の刻み目を形成し、当該ヒンジ部分となる材料部分を残存させる。
【００５９】
当該切断軌跡は当該単位要素の端部に於いて部分的に当該フィン部４の底部を通って伸びている。
【００６０】
当該フィン部４の切開部の面積は小さく、従って当該チリ侵入防止栓の一体性或いは空気の侵入が考慮される限りでは当該チリ侵入防止栓の機能に関しての影響はない。
【００６１】
当該ブレード２は当該パイル付き隙間遮蔽材１の対向する端縁部から離れて配置されており又当該ブレードは所望の長さの単位要素を決定する為に互いに間隔をおいて配置されている。
【００６２】
当該単位要素は、その後折り畳まれて、各単位要素が相互に接合され当該接着剤シート５が供給された場合に相互に当接する。
【００６３】
例えば、図２０に示す様な適宜の治具或いは道具が、当該単位要素が前進せしめられアコーディオン状の形式に折り畳まれる際に当該単位要素を押圧するために使用される。
【００６４】
当該ループ８は、当該単位要素が相互に対して折り畳まれる際に形成される事は特記されるべきである。
【００６５】
図１０乃至図１８を参照するならば、扉１０が閉鎖する対象である側柱表面を持つ扉側柱９が示されている。
【００６６】
当該扉１０は、敷居シール（ｄｏｏｒｓｉｌｌ  ｓｅａｌ）１１を有するものであっても良い。
【００６７】
当該シール１１の外側端部と当該扉側柱９との間に空間が残される。
【００６８】
当該空間は、その裏面が当該扉側柱９に取り付けられる当該チリ侵入防止栓１５によって充填される。
【００６９】
図１３、図１４及び図１５に示す様に、当該パイル６のブラシの端部を示している長手方向の側面１５ａを扉側に向けて当該チリ侵入防止栓が取り付けられる場合は、図１６、図１７及び図１８に示す様な、当該チリ侵入防止栓１５の端部１５ｂ（図１に示す端部２２或いは２３が相当する）が当該閉鎖される扉１０に向けられている場合よりも少ない閉鎖に対する抵抗が示される。
【００７０】
図１３乃至図１５に示される当該チリ侵入防止栓１５の配列方向及び図１６乃至図１８に示される当該配列方向に於いて、当該チリ侵入防止栓１５は、当該扉１０が閉鎖位置にある場合（扉が閉鎖している状態は図１４或いは図１８に示されている）にシール１２を提供する。
【００７１】
当該フィン部及び当該パイルは、当該敷居部１１と扉側柱９との間の空間を介する空気及び水の浸入に対するバリアを提供する。
【００７２】
従って、本発明によって提供される当該チリ侵入防止栓は、異なる用途条件に適合する様に取り付けを行うに際して、異なる選択的な配列方向を採用するに於いて柔軟性を有している。
【００７３】
図１９及び図２０を参照するならば、当該フィン部を持たない直線状の隙間遮蔽材３０が示されており、当該隙間遮蔽材は、切り込まれてヒンジ化された単位要素３２に形成され、そしてアコーディオンの様に折り畳まれてそれによって当該単位要素は相互に隣接して配置される。
【００７４】
基板４２上に設けた側面部材３４，３６を有する道具が、当該単位要素をその側面同士が相互に接合する関係に配列する。
【００７５】
図５に示す様に、当該直線状の隙間遮蔽材３０は、当該隙間遮蔽材に接触している駆動輪により、矢印１４で示される方向に進行せしめられ、当該道具内に挿入され、当該単位要素３２は、相互に隣接する様に配置せしめられる。
【００７６】
当該接着剤シート５は、当該接合された単位要素に、それらが当該側面部材３４，３６の間で当該道具から離れる際に供給されても良い。
【００７７】
図２１に示す様に、直線状のパイル付き隙間遮蔽材５０は、ヒンジ化された単位要素５８に切断され、それらは、切断されていない（つまり単位要素化されていない）パイル付き隙間遮蔽材からなる外側長尺体（ｅｘｔｅｒｉｏｒ  ｌｅｎｇｔｈ）６０，６２の間に相互接合の関係に折り畳まれる。
【００７８】
当該接着剤シート５は当該パイル付き隙間遮蔽材からなる側部長尺体（ｓｉｄｅ  ｌｅｎｇｔｈ）当該接合された単位要素５８とを組み合わせて一体化された単位要素を形成する。
【００７９】
当該組み立てられた構造は、異なる数の当該単位要素５８を含む長さに及び異なる長さの直線状の側部パイル付き隙間遮蔽材６０及び６２を含む長さに切断される事が出来る。
【００８０】
図２２に示す様に、パイル付き隙間遮蔽材５２及び５４からなる２個の直線状部は切れ目を入れられて個別にヒンジ化された単位要素６１、６３に形成され、次いで、折り畳まれてそれぞれが相互に接合される。
【００８１】
当該単位要素の端部は当該パイル付き隙間遮蔽材からなる内部直線状部５３と２つの当該パイル付き隙間遮蔽材からなる外側直線状部５７、５９に対向して配置されている。
【００８２】
当該接着剤シート５は、当該直線状部５３、５７、５９と折り畳まれて相互接合している単位要素６１、６３からなる組み立て体を架橋するものであるが、係る構成を組み立てるのに使用されても良い。
【００８３】
当該組み立てられた構成は、異なる数の当該単位要素６１及び６３を含む様な長さに切断されても良く又異なる長さの当該側部パイル付き隙間遮蔽材５３、５７、５９を含む様に切断されても良い。
【００８４】
図２１に示す様な側部パイル付き隙間遮蔽材６０及び６２、或いは図２２に示す様な側部パイル付き隙間遮蔽材５３、５７、５９によって、当該ヒンジ化された単位要素は完全にそれらの端部に沿って支えられ、それによって当該チリ侵入防止栓シールは、当該端部が支持されていない場合よりも長い長さを取りうる。
【００８５】
当該チリ侵入防止栓シールは、例えば数メートルの長さと同等の柔軟性を持つ部材となる。
【００８６】
上記した説明から、改良されたパイル付き隙間遮蔽材装置、特にブロックシール或いはチリ侵入防止栓として使用するのに適したパイル付き隙間遮蔽材装置が提供されることが明らかとなろう。
【００８７】
此処で説明された装置及び装置の製造方法に関する変更例或いは変形例は、当業者に対して明らかに示唆されるであろう。
【００８８】
従って、上記の説明は例示の説明として理解されるべきであり、限定的なものとして理解されるべきではない。
【図面の簡単な説明】
【００８９】
【図１】図１は、本発明に於けるパイル付き隙間遮蔽材からなるチリ侵入防止栓の斜視図である。
【図２】図２は、図１に示されている当該チリ侵入防止栓の上部平面図である。
【図３】図３は、図１に示されている当該チリ侵入防止栓の端部側面図である。
【図４】図４は、図１に示されている当該チリ侵入防止栓の正面図である。
【図５】図５は、斜視図であって、図１に示されている当該パイル付き隙間遮蔽材からなるチリ侵入防止栓の製造方法の概略を示す斜視図である。
【図６】図６は、図５の右側端部の部分的拡大斜視図である。
【図７】図７は、図６に示されている当該パイル付き隙間遮蔽材のヒンジ化された単位要素が折り畳まれそしてその端部同士が相互に接合した関係に組み立てられている状態を示す正面図である。
【図８】図８は、長尺状のパイル付き隙間遮蔽材に切れ目を入れてヒンジ化された単位要素に構成する状態を概略的に説明する斜視図である。
【図８Ａ】図８Ａは、当該パイル付き隙間遮蔽材に切れ目を入れてヒンジ化された単位要素を形成するために使用されるブレードの一つに平行な平面に沿って見た断面図であり、図８に於ける８Ａ―８Ａ線に沿って且つ矢印の方向に見た場合の断面図である。
【図８Ｂ】図８Ｂは、当該パイル付き隙間遮蔽材に於けるヒンジ化された単位要素の切断端部を示す拡大断面図である。
【図９】図９は、当該パイル付き隙間遮蔽材に切れ目を入れてヒンジ化された単位要素に構成する工程に於いて、当該ブレードの一つに関する図８の下側から見た図である。
【図１０】図１０乃至図１２は、扉の側柱内に於ける扉を閉める場合の異なる扉の位置を示す斜視図であって、図１０は、当該チリ侵入防止栓から離れている場合の斜視図である。
【図１１】図１１は、当該チリ侵入防止栓に接触している場合の斜視図である。
【図１２】図１２は、当該チリ侵入防止栓により閉じられている扉の基礎部に於ける隙間を介して当該扉の側柱に対して閉じられている場合の斜視図である。
【図１３】図１３乃至図１５は、扉は当該扉の側柱に対して閉められており、且つ当該チリ侵入防止栓により当該扉の側柱の下端部でシールされている場合に於ける図１０乃至図１２で示される領域Ａ、Ｂ、Ｃのそれぞれの斜視図であり、図１３は、図１０の領域Ａを示す斜視図である。
【図１４】図１４は、図１１の領域Ｂを示す斜視図である。
【図１５】図１５は、図１２の領域Ｃを示す斜視図である。
【図１６】図１６乃至図１８は、図１６Ａ乃至図１８Ａで示される領域Ａ、Ｂ、Ｃのそれぞれの斜視図であり、図１３、図１４及び図１５とそれぞれ同じ図であるが、当該チリ侵入防止栓が、当該扉が当該外側のヒンジ化された単位要素の側縁端と接触するよりも寧ろ当該ヒンジ化された単位要素の端部と接触する様に配列されており、後者は、図１３、図１４及び図１５に示されている場合であって、図１６は、図１６Ａで示される領域Ａの斜視図である。
【図１７】図１７は、図１７Ａで示される領域Ｂの斜視図である。図１２の領域Ｃを示す斜視図である。
【図１８】図１８は、図１８Ａで示される領域Ｃを示す斜視図である。
【図１６Ａ】図１６Ａは、扉が扉の側柱に対して閉じられた場合の状態を示す斜視図である。
【図１７Ａ】図１７Ａは、扉が扉の側柱に対して閉じられた場合の状態を示す斜視図である。
【図１８Ａ】図１８Ａは、扉が扉の側柱に対して閉じられた場合の状態を示す斜視図である。
【図１９】図１９は、図５で示される図と同様の図であるが、内部のフィン部が無いパイル付き隙間遮蔽材を示した図である。
【図２０】図２０は、図１９で示される様な当該パイル付き隙間遮蔽材からなるヒンジ化された単位要素を折り畳む事を可能にする為に使用される治具を説明する斜視図である。
【図２１】図２１は、本発明に係る他の具体例に従ったチリ侵入防止栓の製造方法を説明する斜視図であり、当該ヒンジ化された単位要素の両端部に沿って所定の長さを持つパイル付き隙間遮蔽材が設けられている。
【図２２】図２２は、本発明に係る更に他の具体例に従ったパイル付き隙間遮蔽材からなるチリ侵入防止栓を説明する斜視図であり、当該チリ侵入防止栓は、一対の折り畳まれたヒンジ化された単位要素と、当該一対の折り畳まれた単位要素と共に当該折り畳まれた単位要素の外部端縁部に沿って及び当該一対の折り畳まれた単位要素の内部端縁部の間にそれぞれ組み合わされている、所定の長さを有する複数のパイル付き隙間遮蔽材を有している。  図２１及び図２２で示す具体例は、図１乃至２０に示されるシール部よりも長く且つ幅の広いチリ侵入防止栓シールを提供するのに特に適している。
【図１】
2006524764.tif 000003
【図２】
2006524764.tif 000004
【図３】
2006524764.tif 000005
【図４】
2006524764.tif 000006
【図５】
2006524764.tif 000007
【図６】
2006524764.tif 000008
【図７】
2006524764.tif 000009
【図８】
2006524764.tif 000010
【図９】
2006524764.tif 000011
【図１０】
2006524764.tif 000012
【図１１】
2006524764.tif 000013
【図１３】
2006524764.tif 000014
【図１４】
2006524764.tif 000015
【図１２】
2006524764.tif 000016
【図１５】
2006524764.tif 000017
【図１６】
2006524764.tif 000018
【図１７】
2006524764.tif 000019
【図１８】
2006524764.tif 000020
【図１９】
2006524764.tif 000021
【図２０】
2006524764.tif 000022
【図２１】
2006524764.tif 000023
【図２２】
2006524764.tif 000024
【国際調査報告】
2006524764.tif 000025